(57)【要約】【課題】パーソナルカレンダーを、これを贈られる者にとって、魅力的な贈り物にすること。【解決手段】ＩＣカードリーダを備える各端末が接続しているネットワークに接続されているサーバであって、  パーソナルカレンダーを保管する機能と、  各端末に、各端末の備えるＩＣカードリーダで、ＩＣカードから情報を読み取らせ、読み取らせた情報で閲覧が許可されるパーソナルカレンダーを、各端末にて、閲覧させる機能とを有することを特徴とするパーソナルカレンダーサーバ。【選択図】なし【特許請求の範囲】
【請求項１】
ＩＣカードリーダを備える各端末が接続しているネットワークに接続されているサーバであって、
パーソナルカレンダーを保管する機能と、
各端末に、各端末の備えるＩＣカードリーダで、ＩＣカードから情報を読み取らせ、読み取らせた情報で閲覧が許可されるパーソナルカレンダーを、各端末にて、閲覧させる機能とを有することを特徴とするパーソナルカレンダーサーバ。
【請求項２】
前記各端末にて、パーソナル情報を、パーソナルカレンダーサーバに登録させる機能と、
前記各端末とは異なる、前記ネットワークに接続されている各端末にて、パーソナルカレンダーサーバに登録されているパーソナル情報を利用して、パーソナルカレンダーを制作させてパーソナルカレンダーサーバに登録させる機能とを有することを特徴とする請求項１に記載のパーソナルカレンダーサーバ。
【請求項３】
ＩＣカードリーダを備える各端末が接続しているネットワークに接続されているサーバが実行する方法であって、
パーソナルカレンダーを保管する工程と、
各端末に、各端末の備えるＩＣカードリーダで、ＩＣカードから情報を読み取らせ、読み取らせた情報で閲覧が許可されるパーソナルカレンダーを、各端末にて、閲覧させる工程とを含むことを特徴とするパーソナルカレンダー方法。
【請求項４】
前記各端末にて、パーソナル情報を、パーソナルカレンダーサーバに登録させる工程と、
前記各端末とは異なる、前記ネットワークに接続されている各端末にて、パーソナルカレンダーサーバに登録されているパーソナル情報を利用して、パーソナルカレンダーを制作させてパーソナルカレンダーサーバに登録させる工程とを含むことを特徴とする請求項３に記載のパーソナルカレンダー方法。
【発明の詳細な説明】
【技術分野】
【０００１】
本発明は、パーソナルカレンダーに関する。
【背景技術】
【０００２】
一般に、紙に印刷されたカレンダーの中には、パーソナルカレンダーと呼ばれ、これを日常使用するユーザに係わる個人的な情報（パーソナル情報）が印刷されたものがある（例えば、特許文献１及び２参照）。
【０００３】
また一般に、カレンダーは広告宣伝用の道具（ツール）として企業がスポンサーとなり、その顧客である他の企業又は個人にこれを贈り、この顧客がユーザになるという場合が圧倒的に多い。従って、パーソナルカレンダーの場合、これの印刷前に、スポンサーは、各顧客の印刷して貰いたい個人的情報を知る必要がある。
【０００４】
しかしながら、スポンサーが、パーソナルカレンダーの印刷前に、各顧客の印刷して貰いたい個人的情報を知ること常に容易とは言い難い。この結果、パーソナルカレンダーに、各顧客の印刷して貰いたい個人的情報が印刷されておらず、パーソナルカレンダーが顧客にとって魅力の無いものになることが充分に有り得る。
【０００５】
他方、Ｗｅｂカレンダー（Ｗｅｂページのカレンダー）には、ユーザ自身が、個人的な情報を、追加、変更、或は削除することの可能なものがある（例えば、非特許文献１参照）。
【０００６】
しかしながら、Ｗｅｂカレンダーは、贈り物（ギフト）に適さない。
【特許文献１】特開平０５−１６９８７９号公報
【特許文献２】特開平０５−１６９８８０号公報
【非特許文献１】［平成１５年１０月１５日検索］、インターネット＜URL：http://calendar.yahoo.co.jp/＞
【発明の開示】
【発明が解決しようとする課題】
【０００７】
本発明は斯かる背景技術に鑑みてなされたもので、パーソナルカレンダーを、これを贈られる者にとって、魅力的な贈り物にすることを課題とする。
【課題を解決するための手段】
【０００８】
本発明において上記課題を達成するために、まず請求項１の発明では、ＩＣカードリーダを備える各端末が接続しているネットワークに接続されているサーバであって、
パーソナルカレンダーを保管する機能と、
各端末に、各端末の備えるＩＣカードリーダで、ＩＣカードから情報を読み取らせ、読み取らせた情報で閲覧が許可されるパーソナルカレンダーを、各端末にて、閲覧させる機能とを有することを特徴とするパーソナルカレンダーサーバとしたものである。
【０００９】
また請求項２の発明では、前記各端末にて、パーソナル情報を、パーソナルカレンダーサーバに登録させる機能と、
前記各端末とは異なる、前記ネットワークに接続されている各端末にて、パーソナルカ
レンダーサーバに登録されているパーソナル情報を利用して、パーソナルカレンダーを制作させてパーソナルカレンダーサーバに登録させる機能とを有することを特徴とする請求項１に記載のパーソナルカレンダーサーバとしたものである。
【００１０】
また請求項３の発明では、ＩＣカードリーダを備える各端末が接続しているネットワークに接続されているサーバが実行する方法であって、
パーソナルカレンダーを保管する工程と、
各端末に、各端末の備えるＩＣカードリーダで、ＩＣカードから情報を読み取らせ、読み取らせた情報で閲覧が許可されるパーソナルカレンダーを、各端末にて、閲覧させる工程とを含むことを特徴とするパーソナルカレンダー方法としたものである。
【００１１】
また請求項４の発明では、前記各端末にて、パーソナル情報を、パーソナルカレンダーサーバに登録させる工程と、
前記各端末とは異なる、前記ネットワークに接続されている各端末にて、パーソナルカレンダーサーバに登録されているパーソナル情報を利用して、パーソナルカレンダーを制作させてパーソナルカレンダーサーバに登録させる工程とを含むことを特徴とする請求項３に記載のパーソナルカレンダー方法としたものである。
【発明の効果】
【００１２】
請求項１及び３の発明は、ＩＣカードを贈り、このＩＣカードで、パーソナルカレンダーを閲覧して貰うようにすることができるという効果がある。
【００１３】
請求項２及び４の発明は、パーソナルカレンダーに掲載して欲しいパーソナル情報を登録して貰い、登録されたパーソナル情報を利用してパーソナルカレンダーを制作することができるという効果がある。
【００１４】
以上、本発明は、パーソナルカレンダーを、これを贈られる者にとって、魅力的な贈り物にすることができるという効果がある。
【発明を実施するための最良の形態】
【００１５】
以下に、本発明の最良の一実施形態を説明する。
【００１６】
１．構成
本実施形態では、図１に示すように、パーソナルカレンダーサーバと、顧客の端末と、企業の端末とが、ネットワークに接続されている。
【００１７】
ネットワークは、パーソナルカレンダーサーバと各端末との間でデータ通信が可能であれば、その種類や形態に特に制限は無く、例えば、インターネットや電話回線でも良く、また、途中で光通信や無線通信が行なわれるものであっても良い。
【００１８】
端末は、携帯電話などの携帯情報端末、或は、パソコンなどのコンピュータであって、Ｗｅｂブラウザがインストールされている。企業の端末と、顧客の端末とは、それぞれ、複数、ネットワークに接続されても良い。
【００１９】
顧客の端末は、ＩＣカードリーダを備える。ＩＣカードリーダは、ＩＣカードのＩＣチップから、このＩＣチップに記憶されている各種の情報を読み取る機能を有する装置である。ＩＣカードリーダが、ＩＣカードのＩＣチップに、各種の情報を書き込む機能も有する場合、このＩＣカードリーダは、ＩＣカードリーダライタと呼ばれる。ＩＣカードリーダは、顧客の端末に内蔵されるものであっても良いし、或は、外付けされるものであっても良い。
【００２０】
パーソナルカレンダーサーバは、顧客の端末にて、顧客が、パーソナルカレンダーサーバに、パーソナル情報を登録することを可能にする。そして、パーソナルカレンダーサーバは、登録されたパーソナル情報を保管する。
【００２１】
またパーソナルカレンダーサーバは、Ｗｅｂカレンダーを、一種類或は複数種類、保管している。このＷｅｂカレンダーには、カレンダーとしての一般的な情報のみが記載されており、特定の顧客のパーソナル情報も、特定の企業の広告も、一切記載されていない。本実施形態において、パーソナルカレンダーは、このパーソナルカレンダーを顧客に贈る企業の広告と、この顧客のパーソナル情報とを、Ｗｅｂカレンダーに追記したものである。
【００２２】
またパーソナルカレンダーサーバは、企業の端末にて、企業の担当者が、パーソナルカレンダーサーバに保管されているＷｅｂカレンダーとパーソナル情報とを利用して、Ｗｅｂカレンダーに、この企業の顧客のパーソナル情報と、この企業の広告とを追記してパーソナルカレンダーを制作し、このパーソナルカレンダーをパーソナルカレンダーサーバに登録することを可能にする。そして、パーソナルカレンダーサーバは、登録されたパーソナルカレンダーも保管する。
【００２３】
企業は、この企業の顧客に、この顧客のパーソナル情報と、このパーソナル情報が掲載されているパーソナルカレンダーのアクセス権とがＩＣチップに記憶されているＩＣカードを贈る。
【００２４】
パーソナルカレンダーサーバは、顧客の端末にて、顧客が、パーソナルカレンダーサーバに対して、パーソナルカレンダーの閲覧を希望することを可能にする。そして、パーソナルカレンダーサーバは、顧客の端末にて、顧客が、パーソナルカレンダーの閲覧を希望する場合、この顧客の端末に、この端末の備えるＩＣカードリーダで、ＩＣカードのＩＣチップに記憶されている情報を読み取らせる。そして、パーソナルカレンダーサーバは、読み取らせた情報にパーソナル情報とアクセス権とが含まれる場合に、パーソナルカレンダーサーバに保管されているパーソナルカレンダーの内、このパーソナル情報が掲載されているパーソナルカレンダーのみを、顧客の端末にて閲覧可能にする。
【００２５】
企業が顧客に贈るＩＣカードのＩＣチップには、この顧客のパーソナル情報と、このパーソナル情報が掲載されているパーソナルカレンダーのアクセス権との他に、例えば、この企業の企業コードも記憶されていても良い。また、企業が顧客に贈るＩＣカードの表或は裏の面には、例えば、絵柄、名入れ、カレンダーなどが印刷されていても良い。図２に、企業が顧客に贈るＩＣカードの表と裏の面の例を示す。
【００２６】
２．処理
以下に、パーソナル情報の登録から、パーソナルカレンダーの閲覧までに、パーソナルカレンダーサーバが係わる処理の流れの例を、図３のフローチャートに従って説明する。
【００２７】
Ｓ（ＳＴＥＰ）１；
顧客が、顧客の端末にて、顧客自身のパーソナル情報を、パーソナルカレンダーサーバに登録する。
【００２８】
Ｓ（ＳＴＥＰ）２；
パーソナルカレンダーサーバは、登録されたパーソナル情報を保管する。
【００２９】
Ｓ（ＳＴＥＰ）３；
パーソナルカレンダーサーバは、パーソナルカレンダーサーバに保管されているＷｅｂカレンダーとパーソナル情報とを、企業の端末に送る。
【００３０】
Ｓ（ＳＴＥＰ）４；
企業の担当者は、企業の端末にて、Ｗｅｂカレンダーに、この企業の顧客のパーソナル情報と、この企業の広告とを追記して、パーソナルカレンダーを制作する。
【００３１】
Ｓ（ＳＴＥＰ）５；
企業の担当者が、企業の端末にて、制作したパーソナルカレンダーを、パーソナルカレンダーサーバに登録する。
【００３２】
Ｓ（ＳＴＥＰ）６；
パーソナルカレンダーサーバは、登録されたパーソナルカレンダーを保管する。
【００３３】
Ｓ（ＳＴＥＰ）７；
顧客が、顧客の端末にて、パーソナルカレンダーサーバに、パーソナルカレンダーの閲覧を希望する。
【００３４】
Ｓ（ＳＴＥＰ）８；
パーソナルカレンダーサーバは、この顧客の端末に、この端末の備えるＩＣカードリーダで、ＩＣカードのＩＣチップに記憶されている情報を読み取らせる。
【００３５】
Ｓ（ＳＴＥＰ）９；
パーソナルカレンダーサーバは、顧客の端末に読み取らせた情報にパーソナル情報とアクセス権とが含まれる場合に、パーソナルカレンダーサーバに保管されているパーソナルカレンダーの内、このパーソナル情報が掲載されているパーソナルカレンダーのみを、顧客の端末にて、顧客に閲覧させる。
【図面の簡単な説明】
【００３６】
【図１】本実施形態に係わるシステムの構成例を示す図。
【図２】企業が顧客に贈るＩＣカードの表と裏の面の例を示す図。
【図３】パーソナル情報の登録から、パーソナルカレンダーの閲覧までに、パーソナルカレンダーサーバが係わる処理の流れの例を説明するフローチャート。
【図１】
2005284472.tif 000002
【図２】
2005284472.tif 000003
【図３】
2005284472.tif 000004